(57)【特許請求の範囲】
【請求項１】
複数の導線対を構成する複数の導線を終端接続するためのコネクタであって、
前記コネクタは、ケーブル挿入口を後方側に形成したコネクタハウジングを備えており、前記ケーブル挿入口は、頂部壁と、底部壁と、両側に設けられた一対の側部壁とによって形成されており、
前記コネクタは、また、複数の導線位置決め用の溝を備えており、前記溝は、前記コネクタハウジング内に設けられ、間隔をあけて配置された一対の平坦な上側配列及び平坦な下側配列を有するように形成されており、
前記コネクタは、さらに、前記コネクタハウジングに一体に形成された案内手段であって、前記上側配列の導線位置決め用の溝内と、前記下側配列の導線位置決め用の溝内とに、前記複数の導線をそれぞれ案内するための案内手段を備えており、
前記頂部壁には、前記複数の導線を分離して適切な順番に保持する、複数の案内溝が設けられており、
前記案内手段は、複数の傾斜面を有しており、該傾斜面は、前記頂部壁及び前記底部壁に配置されており、前記頂部壁の傾斜面は、前記下側配列の導線位置決め用の溝に整合しており、前記底部壁の傾斜面は、前記上側配列の導線位置決め用の溝に整合しており、前記案内溝に配置された導線は、前記頂部壁の傾斜面及び前記底部壁の傾斜面に互い違いに整合し、それにより、前記複数の導線を前記上側及び下側配列内に位置決めすることを特徴とするコネクタ。
【発明の詳細な説明】
【０００１】
【発明の属する技術分野】
本願発明は、概ね、通信用のケーブルの導線を電気的に終端接続しそして連結するための通信用のモジュラプラグコネクタに関し、より具体的には、ワイヤ導線を挿入して位置決めできるように改良設計されたモジュラプラグコネクタに関する。
【０００２】
【従来の技術】
標準のモジュラジャックに嵌合できるようにする要求されている、概ね同様な外形を有する幅広い種類のモジュラプラグは、通信産業においては公知である。モジュラプラグの寸法は比較的小さく、通信用のケーブルの端を終端接続している。それによって、個々のワイヤは近接した状態になり、異なった信号対の間でクロストーク（漏話）が引き起こされる。しかしながら、データの伝送量の増大が要求された状態で、通信用のモジュラプラグとモジュラジャックとを使用して、コンピュータネットワークに、より線対のケーブル（ツイストペアケーブル）を接続すると、通信用のモジュラコネクタのワイヤ対を伝わる信号間のクロストークを減少させる必要が生じる。クロストークを減少させる１つの方法は、個々のワイヤのうち隣接する対の部分を千鳥配列状態（換言すれば、食違い状態）に配置し、平行に走っている部分の距離を最小限にすることである。
【０００３】
モジュラプラグと導線とを比較的小さな寸法にすると、終端接続する前にモジュラプラグ内で導線を適切に配置して保持するできるように、モジュラプラグの接点に対して導線の順序を取り決める場合に、絶縁された個々の導線の取り扱いに注意が必要である。典型的には、絶縁された８つの個々の導線を、モジュラプラグの８つの接点に個々に配置し終端接続しなければならない。互い違いに配置された導線が、互い違いに配置された平面にある状態で、個々のワイヤを、間隔が設けられた一対の平面に設けると、隣接する導線のうち平行に走っている部分が最小限となり、これにより、クロストークを減少させることができるが、組み立てが困難となる。個々の導線は、事前に形成して、個々の溝に注意深く挿入しなければならない。あるいは、単一の平坦な配列に最初に位置決めして、千鳥配列関係に強制的に配置しなければならない。
【０００４】
そのため、当該技術において、モジュラプラグコネクタを簡単に終端接続でき、モジュラプラグコネクタの終端接続されたワイヤ対によって引き起こされるクロストークを減少できるように、モジュラプラグコネクタを改良することが要請されている。
【０００５】
【発明が解決しようとする課題】
本願発明の目的は、モジュラプラグコネクタで終端接続された導線対の間のクロストークを減少させる改良されたモジュラプラグコネクタを提供することである。
【０００６】
本願発明の目的は、また、個々のワイヤをモジュラプラグコネクタにより簡単に挿入できる改良されたモジュラプラグコネクタを提供することである。
【０００７】
【課題を解決するための手段】
一般に、本願発明によるモジュラプラグは、複数の導線対を構成する複数の導線を終端接続するためのコネクタを備えている。前記コネクタは、ケーブル挿入口を後方側に形成したコネクタハウジングを備えている。前記ケーブル挿入口は、頂部壁と、底部壁と、両側に設けられた一対の側部壁とによって形成されている。前記コネクタは、また、複数の導線位置決め用の溝を備えている。前記導線位置決め用の溝は、オフセットして形成された一対の平坦な配列状態に形成されている。前記コネクタは、前記オフセットして一対の平坦な配列状態に形成された導線位置決め用の溝に、前記複数の導線を案内するための案内手段を備えている。
【０００８】
【発明の実施の形態】
図面に付した参照符号１０は、本願発明の概念を具体化した通信用のモジュラプラグコネクタの全体を示している。モジュラプラグコネクタ１０（換言すれば、モジュラプラグ１０）は、熱可塑性の材料から形成されている。モジュラプラグコネクタ１０は、より線対のケーブル４０を構成する絶縁された複数の導線（換言すれば、心線）を終端接続するように設計されている。
【０００９】
絶縁された導線４２は、対となって信号を送るようになっており、ケーブル４０内でその長手方向に沿って互いにより合わされている。これにより、導線４２間のクロストーク（漏話）を減少させることができるようになっている。絶縁された導線４２は、ケーブル４０を構成する保護用シース（被覆）４４内に封入されている。ケーブル４０からシース４４をはぐと、４つのより線対の導線が露出する。これらの８つの導線４２は、そのとき、適切な色の順序で互いに平行に配置されている。また、８つの導線４２は、図１に示されたように、モジュラプラグコネクタのハウジング内に挿入される。モジュラプラグコネクタ１０を使用することにより、平坦な配列に形成された導線や平坦な配列に形成できる導線を備えた、非より線対のケーブル、平坦な（フラット）ケーブル、または任意の他のケーブルを終端接続することができる。
【００１０】
ラッチ３０を有するモジュラプラグコネクタ１０は、ハウジングを備えている。ハウジングは、前面２０と、後方側に形成されたケーブル挿入用の経路（チャネル）２８とを有しいる。図２及び図３に示されているように、経路２８は、頂部壁１２と、第１の側部壁１６と、第２の側部壁１８と、底部壁１４とによって画定されている。図４に示されているように、経路２８は、整合して配列された８つの導線位置決め用の溝２２に連通している。導線位置決め用の溝２２は、前面２０まで伸長している。導線位置決め用の溝２２は、上側平面２４と、下側平面２６とに分けられている。ところで、図２に示されているように、製造上の制約のために、上側平面の最も左側の導線は、わずかに低くなっている。図３、図４、図６、及び図７に示されているように、一体に形成された複数の傾斜面３４及び３６が、ケーブル挿入用の経路２８内に設けられている。これにより、個々の導線４２が、傾斜面３４と傾斜面３６との間で、そして、間隔をあけて設けられた２つの上側平面２４と下側平面２６に対して好適な関係で、自動的に挿入され且つ正確に位置決めされるようになっている。図８及び図９に示されているように、導線４２を十分に挿入すると、頂部側の傾斜面３４により、互い違いに配置された導線４２が、下側平面２６の導線位置決め用の溝２２の内に下方に向けて偏向される。底部側の傾斜面３６は、それた任意の導線４２と自動的に再整合して、上側平面２４の導線位置決め用の溝２２に戻すことができるように位置決めされている。
【００１１】
図４に示されているように、ケーブル４０をモジュラプラグコネクタ１０に終端接続したとき、絶縁体をはがされて整合させられた導線４２は、最初に、内側に設けられた頂部壁１２の面に向けて挿入される。頂部壁１２の面には、複数の案内トラフ（案内溝）３２が設けられている。案内トラフ３２は、導線４２を分離して適切な順序に保持する。導線４２をさらに挿入すると、導線４２は、それぞれの傾斜面３４、３６と、対応する導線位置決め用の溝２２に案内される。図８及び図９に示されているように、導線４２が案内用の傾斜面３４、３６に到達したとき、上側の傾斜面３４により、互い違いに配置された導線４２は、下側平面２６の導線位置決め用の溝２２に向けて下方に偏向される。ケーブル４０及び導線４２が完全に挿入された後、図１１及び図１２に示されているように、導線４２は、対応する複数の接点スロット４８を通して挿入された接点ブレード３８によって、また、モジュラプラグコネクタ１０内でケーブル４０に加えられる歪み解放部４６によって、終端接続することができる。
【００１２】
ところで、経路２８は、できるだけ、モジュラプラグコネクタ１０内深くに伸長している。というのは、隣接する導線対のうち平行に走っている部分の距離をより短くすることにより、クロストークを減少させることができるからである。しかしながら、挿入できるように十分な剛性を確保するために、絶縁体がはぎ取られたワイヤ端部の長さを十分に長くしなければならない。
【００１３】
モジュラプラグコネクタとケーブルは、カテゴリー５コンプライアンス用のＴＳＢ−６７認証テスト下で試験された。また、モジュラプラグコネクタのみ、ＴＳＢ−４０終端接続用の構成要素に必要な条件の下で試験された。かかる試験から以下のことがわかった。すなわち、ＥＩＡ／ＴＩＡ  ＴＳＢ−３６に合う、シールドされたまたはシールドされていない１００オームケーブルを備えた、より線対のカテゴリー５ケーブルを終端接続するためにモジュラプラグコネクタを使用したところ、導線の末端を最終的に千鳥配列状態（すなわち、食違い状態）に配置することにより、モジュラプラグコネクタによって引き起こされるクロストークを減少させることができることがわかった。この減少量は、Ｅｌｅｃｔｒｏｎｉｃｓ  Ｉｎｄｕｓｔｒｉｅｓ  Ａｓｓｏｃｉａｔｉｏｎ（電子産業協会）及びＴｅｌｅｃｏｍｍｕｎｉｃａｔｉｏｎ  Ｉｎｄｕｓｔｒｙ  Ａｓｓｏｃｉａｔｉｏｎ（遠距離通信産業協会）の規格書ＳＰ−２８４０のＥＩＡ／ＴＩＡによって明記されているように、一貫してカテゴリー５クロストークの性能を越えるのに十分な量となっている。一方、モジュラプラグコネクタは、経済的に製造できる。また、モジュラプラグコネクタは、別体のワイヤ装填用のバーを使用することなく、平坦に整合して配列された導線をモジュラプラグコネクタに単に挿入してモジュラプラグコネクタを終端接続することによって、また、容易に終端接続できる。
【００１４】
本願発明は、モジュラプラグコネクタに使用するように説明されたが、以下のことを理解すべきである。すなわち、本願発明は、任意のタイプのコネクタに使用して、コネクタで生じるクロストークを減少させることができる。本願発明では、実質的に平坦に整合して配列された導線を、終端接続用のコネクタに最初に位置決めすることが所望されている。
【００１５】
本願発明の特定の好適な実施例が示され且つ説明されたが、当業者にとっては、本願発明の開示から離れることなく幅広い観点で変形や変更を行うことは容易であろう。上で説明し添付した図面に示した実施例は、単なる例であって、本願発明がこれに限定されるべきではない。本願発明の実際の範囲は、従来技術に基づいて適切な観点で考慮して、請求項に定義されたように意図されている。
【図面の簡単な説明】
【図１】図１は、本願発明の概念を具体化した、後方から見た、モジュラプラグコネクタの斜視図である。
【図２】図２は、図１のモジュラプラグコネクタの背面図である。
【図３】図３は、図１のモジュラプラグコネクタの一部破断した背面図である。
【図４】図４は、配列された導線の、図１のモジュラプラグコネクタ内への最初の挿入状態を示している、図２の線４−４に沿って取った側断面図である。
【図５】図５は、図４の線５−５に沿って取った断面図である。
【図６】図６は、図２の線６−６に沿って取った断面図である。
【図７】図７は、図２の線７−７に沿って取った断面図である。
【図８】図８は、導線がモジュラプラグコネクタ内にさらに挿入された状態を示している、図２の線４−４に沿って取った断面図である。
【図９】図９は、図２の線９−９に沿って取った断面図である。
【図１０】図１０は、図８の線１０−１０に沿って取った断面図である。
【図１１】図１１は、導線がコネクタ内に完全に挿入された状態を示している、図２の線９−９に沿って取った断面図である。
【図１２】図１２は、図１１の線１２−１２に沿って取った断面図である。
【符号の説明】
１０  モジュラプラグコネクタ      １２  頂部壁
１４  底部壁                      １６  第１の側部壁
１８  第２の側部壁                ２０  前面
２２  導線位置決め用の溝          ２４  上側平面
２８  経路                        ３０  ラッチ
３２  案内トラフ（案内溝）        ３４  傾斜面
３６  傾斜面                      ３８  接点ブレード
４０  ケーブル                    ４２  導線
４４  シース                      ４６  歪み解放部
４８  接点スロット
【図１】
0004218996.tif 000002
【図２】
0004218996.tif 000003
【図３】
0004218996.tif 000004
【図４】
0004218996.tif 000005
【図５】
0004218996.tif 000006
【図６】
0004218996.tif 000007
【図７】
0004218996.tif 000008
【図８】
0004218996.tif 000009
【図９】
0004218996.tif 000010
【図１０】
0004218996.tif 000011
【図１１】
0004218996.tif 000012
【図１２】
0004218996.tif 000013